(57)【要約】      （修正有）【課題】  多くの情報を表示することが出来る大型の電光標識板で、走行時も後方への情報表示が可能であり、収納時には、電光表示面がルーフで覆われて表示面の汚染、損傷のない電光標識装置を提供する。【解決手段】  電光標識板３は、境界線を介して上段標識部３ａと下段標識部３ｂとにより構成し、上段標識部は起立状態から背面方向へ９０°横倒した状態の回動範囲内で起立横倒自在な回動機構９により境界線で二つ折り可能に形成し、下段標識部はケース４の正面板に取り付ける。電光標識板と警告灯との間に、上段標識部の電光標識面に相当する大きさに形成したルーフ６を設け、このルーフには、上段標識部の回動方向とは反対方向に連動して回動する連動回動機構１０を設け、上段標識部の収納状態では、その電光標識面はルーフにより覆われて保護され、下段標識部のみで後方へ情報表示する。【選択図】  図１
2006039176.tif 000002
【特許請求の範囲】
【請求項１】
正面に電光標識面を有する電光標識板と、この電光標識板を保持するケースと、このケースの上方に取り付けた警告灯とからなる電光標識装置において、
前記電光標識板は、境界線を介して上段標識部と下段標識部とにより構成するとともに、前記上段標識部は前記境界線で二つ折り可能に形成し、
前記電光標識板の境界線に対向する背面に、この境界線を回動軸支点として前記上段標識部が起立状態から背面方向へ９０°横倒した状態の回動範囲内で起立横倒自在な回動機構を設け、
前記ケースの上端開口部は、前記上段標識部が背面方向へ９０°横倒した状態で収納可能な形状に形成するとともに、前記ケースの正面板に、前記下段標識部を取り付けたこと
を特徴とする電光標識装置。
【請求項２】
前記回動機構は、この回動機構の歯車軸の回転を前記上段標識部へ伝達するか否かを制御する連結ボスを有し、この連結ボスを解除することにより、前記上段標識部は手動で回動可能であること
を特徴とする請求項１に記載の電光標識装置。
【請求項３】
前記電光標識板と前記警告灯との間に、前記上段標識部の電光標識面に相当する大きさに形成したルーフを前記上段標識部に取り付けるとともに、このルーフに、前記上段標識部の回動方向とは反対方向に連動して回動するように、前記回動機構と連動する連動回動機構を設けたこと
を特徴とする請求項１〜請求項２にそれぞれ記載の電光標識装置。
【発明の詳細な説明】
【技術分野】
【０００１】
この発明は、災害や事故発生時あるいは工事現場等で、周辺の住民や通行車両等への警告や広報活動等に使用するための電光標識装置に関するものである。
【背景技術】
【０００２】
一般に、ガス工事、電気工事あるいは道路工事、清掃作業等を行う場合には、通行車両や通行人等の安全を確保するために、電光標識板や立て看板が現場付近に設置され、あるいは屋根上に電光表示器等を搭載した作業車が駐車している。そして、この種の電光表示板や立て看板等には、「作業中」、「工事中」等の文字が、電球や蛍光灯、ＬＥＤ等の光源からの光により表示され、周囲への注意を喚起している。
【０００３】
又、交通事故発生時に事故現場に到着した警察車両には、「事故」、「渋滞中」、「走行注意」等の電光標識が、車両の屋根上に搭載されている表示器に点灯表示される。
【０００４】
これらの電光表示板や表示器は、よく目立つように、かなり大型に形成されているとともに、電光表示板や表示器の上端部には、いずれも警告灯が取り付けられているので、垂直方向は、かなりの高さとなる。従って、車両の走行中は風圧による抵抗が大きく、特に車両搭載式の形式のものは、高速道路等を移動する場合、高速で走行出来ない等、運搬する際に大きな問題があった。
【０００５】
そこで、図７に示す電光掲示板では、ＬＥＤの表示モジュール１１０を複数個配列したＬＥＤ表示器１００のケース１２０上に散光式警光灯２００を配置し、警告閃光を周囲へ放射するとともに、ＬＥＤ表示器１００は、スタンド４００に装着されたジャッキ６００のペダル６１０を足踏みする毎にＬＥＤ表示器１００が上昇し、レリーズハンドル６４０を回して下降するように構成してＬＥＤ表示器１００の昇降を行う。又、運搬する場合には、ＬＥＤ表示器１００をスタンド４００から取り外すように構成したものがある。
【特許文献１】特開２００１−２０２０４５号公報
【０００６】
又、図８に示すように、車載用のＬＥＤ表示ボード５０として、表示部５１が電動式油圧モータによりスイッチ操作で起伏する形式のものがある。これは、図８（ａ）に表示部が起立した状態を示し、表示部５１は、この表示部５１を収納可能な形成されている凹ケース５２の一端部に回動自在に取り付けられているとともに、この表示部５１の上端には警告灯５３が取り付けられている。図８（ｂ）は、不使用時における状態を示すもので、表示部５０は凹ケース５２内に収納されており、警告灯５３のみがこの凹ケース５２から突出した状態となっている。
【発明の開示】
【発明が解決しようとする課題】
【０００７】
図７に示す前者の形式のものは、現場で分解、組み立てする必要があり、手間がかかり、特に、事故現場等における緊急時の組み立て作業は危険である。又、表示器１００の高さが自ずと制限され、遠方からの視認性が悪い等の問題がある。さらに、ＬＥＤ表示器１００の表示面は、使用していない状態でも常に露出されているので、風雨等の天候状態により、又、鳥、犬、猫等の動物により、汚染され、損傷される等の問題がある。
【０００８】
又、図８に示す後者の形式のものは、収納時には、表示部５０は凹ケース５２内に完全に収納されてしまい、警告灯５３のみしか見えず、後方車両への文字による情報表示が全く得られないという問題がある。さらに、このＬＥＤ表示ボード５０を車両に搭載する場合には、その表示器５１の大きさは自ずと制限され、多くの情報を表示出来ないという問題もある。
【課題を解決するための手段】
【０００９】
請求項１に係る発明は、正面に電光標識面を有する電光標識板と、この電光標識板を保持するケースと、このケースの上方に取り付けた警告灯とからなる電光標識装置において、電光標識板は、境界線を介して上段標識部と下段標識部とにより構成するとともに、上段標識部は境界線で二つ折り可能に形成し、電光標識板の境界線に対向する背面に、この境界線を回動軸支点として上段標識部が起立状態から背面方向へ９０°横倒した状態の回動範囲内で起立横倒自在な回動機構を設け、ケースの上端開口部は、上段標識部が背面方向へ９０°横倒した状態で収納可能な形状に形成するとともに、ケースの正面板に、下段標識部を取り付けたものである。
【００１０】
請求項２に係る発明は、請求項１に係る発明において、回動機構は、この回動機構の歯車軸の回転を上段標識部へ伝達するか否かを制御する連結ボスを有し、この連結ボスを解除することにより、上段標識部は手動で回動可能であるようにしたものである。
【００１１】
請求項３に係る発明は、請求項１〜請求項２にそれぞれ係る発明において、電光標識板と警告灯との間に、上段標識部の電光標識面に相当する大きさに形成したルーフを上段標識部に取り付けるとともに、このルーフに、上段標識部の回動方向とは反対方向に連動して回動するように、回動機構と連動する連動回動機構を設けたものである。
【発明の効果】
【００１２】
請求項１に係る発明は、上記のようにしたので、電光標識面を大きく設計することが出来、多くの情報を表示出来る。又、車両の屋根に搭載した場合、車両の走行中は、上段標識部を収納した状態で走行することが出来るとともに、下段標識部により後方車両への情報を表示することが出来る。又、走行時の風圧による影響を大幅に軽減することが出来、安全に高速走行することも出来る。
【００１３】
請求項２に係る発明は、請求項１に係る発明において、上記のように構成したので、請求項１に係る発明と同様な効果が得られるとともに、手動でも自動でも上段標識部を回動することが出来るので、使用性が良く、便利である。
【００１４】
請求項３に係る発明は、請求項１〜請求項２にそれぞれ係る発明において、上記のように構成したので、請求項１及び請求項２に係る発明と同様な効果が得られるとともに、上段標識部を起立した使用状態では、電光標識板の電光標識面が、ルーフにより雨から保護されるとともに、上方からの光が遮断されるので、電光標識面の視認性が良くなる。
又、上段標識部をケース内に収納した状態では、上段標識部の電光標識面全面がルーフにより完全に覆われている状態となるので、電光標識面が保護され、不足の事態により損傷することもない。特に、電光標識面がＬＥＤで形成されている場合、その表示面は風雨や鳥、犬、猫等の動物により、容易に汚染、損傷の恐れが大であるが、この発明の場合には、走行時のように、下段標識部のみ使用している状態でも、又、装置全体の不使用時でも、上段標識部の電光標識面は完全にルーフで覆われているので、このような汚染、損傷が発生することはない。
【発明を実施するための最良の形態】
【００１５】
電光標識板３は、境界線３ｄを介して上段標識部３ａと下段標識部３ｂとにより構成するとともに、上段標識部３ａは境界線３ｄで二つ折り可能に形成し、この境界線３ｄに対向する背面には、境界線３ｄを回動軸支点として上段標識部３ａが起立状態から背面方向へ９０°横倒した状態の回動範囲内で起立横倒自在な回動機構９を設けるとともに、ケース４の上端開口部は、上段標識部３ａが９０°横倒した状態で収納可能な形状に形成するとともに、ケース４の正面板４ａには、下段標識部３ｂを取り付ける。さらに、電光標識板３と警告灯７との間に、上段標識部３ａの電光標識面３ｃに相当する大きさに形成したルーフ６を設け、このルーフ６には、上段標識部３ａの回動方向とは反対方向に連動して回動するように、回動機構９と連動する連動回動機構１０を設けた電光標識装置１である。
【００１６】
上段標識部３ａをケース４内に収納した状態では、上段標識部３ａの電光標識面３ｃはルーフ６により覆われて保護されており、下段標識部３ｂの電光標識面には後方車両への情報を表示する。現場では、上段標識部３ａを起立状態とすれば、大型の電光標識板３が得られ、多くの情報を表示することが出来るとともに、ルーフ６により上方からの光が遮断され、電光標識面の視認性が良い。特に、電光標識面３ｃがＬＥＤで形成されている場合、走行時のように下段標識部のみ使用している状態でも、又、装置全体の不使用時でも、上段標識部３ａの電光標識面３ｃは、完全にルーフ６で覆われているので、その電光標識面３ｃが風雨や鳥、犬、猫等の動物により、汚染、損傷されることもない。
【実施例】
【００１７】
この発明の実施例を、図１〜図６に基づいて詳細に説明する。
図１〜図５は、この発明による電光標識装置１の実施例を示すもので、図１は電光標識板３の上段標識部３ａの動作状態を示す説明図、図２は上段標識部３ａが起立した状態を示す一部切欠正面図、図３は上段標識部３ａが起立した状態を示す一部切欠背面図、図４は上段標識部３ａがケース４内に収納された状態を示す一部切欠上面図、図５は上段標識部３ａが起立した状態を示す斜視図、図６は上段標識部３ａが収納された状態を示す斜視図である。
【００１８】
図１〜図６に示すように、電光標識装置１は、正面が電光標識面２となっており、上段標識部３ａと下段標識部３ｂとにより構成されている電光標識板３、この電光標識板３を支持するとともに、上段標識部３ａを収納するケース４、このケース４に二つ折り可能に連設され、上段標識部３ａの周囲を覆う枠体５、電光標識板２のルーフ６、ルーフ６の上端に取り付けられた警告灯７を支持する支持台８、電光標識板３の上段標識部３ａを背面方向に回動自在に回動する回動機構９、この回動機構９と連動してルーフ６を上段標識部３ａの回動方向とは反対方向に回動する連動回動機構１０とにより構成されている。
【００１９】
図２、図５に示すように、電光標識板３の正面は、ＬＥＤで構成された電光標識面２となっており、文字、数字等が標識可能となっている。電光標識板３は、上段標識部３ａと下段標識部３ｂとにより構成されており、上段標識部３ａと下段標識部３ｂとの境界線３ｄで二つ折り出来るように形成されている。電光標識板３の上方２／３が上段標識部３ａ、下方１／３が下段標識部３ｂとなっている。
【００２０】
なお、この実施例では、電光標識板３の上段標識部３ａと下段標識部３ｂとの分割割合は、２／３：１／３に形成されているが、これに限定されるものではなく、この発明の目的を達成するものであれば、如何なる分割割合であってもよい。
【００２１】
図１〜図３、図５に示すように、下端標識部３ｂはケース４の正面板４ａに固定されて起立した状態で支持されており、上段標識部３ａは枠体５が取り付けられており、この枠体５とケース４の正面板４ａとは、二つ折り可能に連結されている。電光標識板３は、上段標識部３ａと下段標識部３ｂとの境界線３ｄを回動軸支点として、回動機構９により背面方向に９０°横倒した状態迄回動自在となっている。なお、この実施例では、後述する歯車軸１３を回転軸支点としている。
【００２２】
図１、図５、図６に示すように、ケース４は、電光標識板３を安定的に支持する機能も備えており、全体として略箱型に形成されており、正面板４ａは凹型に形成されて、下端標識部３ｂの枠ともなっている。この正面板４ａの上端には、枠体５に固定された上段標識部３ａが二つ折り可能に且つ回動自在に連設されている。ケース４の上端開口部は、上段標識部３ａが９０°横倒した状態で収納されるとともに、ケース４の内部には、回動機構９や連動回動機構１０が配置されている。
【００２３】
図１〜図３、図５に示すように、上段標識部３ａの枠体５の上端部には、上面が上段標識部３ａの電光標識面３ｃとほぼ同じ形状に形成され、側部が略台形に形成されたルーフ６が、電光標識板３と直交するように回動自在に取り付けられている。そして、このルーフ６の一部分は、電光標識板３が起立した状態の時、電光標識面２からひさしのように突出している。従って、このルーフ６により、電光標識面２の上方からの光が遮断され、電光標識面２の視認性が向上する。
【００２４】
さらに、ルーフ６には、回動機構９による上段標識部３ａの回動方向とは反対方向に連動して回動する連動回動機構１０が設けられており、上段標識部３ａが回動すると、ルーフ６は、上段標識部３ａの回動動作に連動して反対方向に回動動作するように構成されている。さらに、上段標識部３ａが背面方向に回動してケース４内に収納された状態では、上段標識部３ａの電光標識面３ｃは、ルーフ６により覆われた状態となっている。
【００２５】
又、図１〜図３、図５に示すように、ルーフ６の上面には、警告灯７を支持する支持台８が固定されている。従って、警告灯７は支持台８を介在してルーフ６と一体となって上段標識部３ａの回動方向とは反対方向に回動し、上段標識部３ａがケース４内に収納された状態では、図６に示すように、警告灯７はケース４から突出した状態となる。
【００２６】
図１、図３、図４に示すように、上段標識部３ａと下段標識部３ｂとの境界線３ｄ近傍に対向する電光標識板２の背面には、上段標識部３ａを背面方向に９０°の範囲内で回動する回動機構９が取り付けられており、この回動機構９は、モータ１１、モータ１１の回転を伝達する歯車列１２、歯車列１２を軸支する歯車軸１３、歯車軸１３の回転を上段標識部３ａへ伝達するか否かを制御する連結ボス１４とにより構成されている。この回動機構９により、上段標識部３ａは、歯車軸１３を回動軸支点として９０°の範囲で起立した状態から横倒した状態迄回動するように構成されている。
【００２７】
具体的には、歯車軸１３の両端部は、その両端が連結ボス１４により上段標識部３ａの枠体５内部両側部に取り付けられている。さらに、歯車軸１３には、モータ軸の回転を歯車軸１３に伝達する歯車列１２が軸支されており、上記のように、上段標識部３ａは、歯車軸１３を回動軸支点として、回動機構９により起立した状態から背面方向に９０°横倒した状態迄回動自在となっている。なお、上段標識部３ａは、連結ボス１４を解除すると、手動により上段標識部３ａをケース４内に格納したり、あるいは起立させたり出来るようにも構成されている。
【００２８】
又、図１、図３〜図４に示すように、回動機構９に連動させて、ルーフ６を回動するための連動回動機構１０は、上段標識部３ａとルーフ６とが回動する際の支点となる第１の回動軸支点１５、上段標識部３ａの回動動作を、ルーフ６に伝達するための第１のシャフト１６、この第１のシャフト１６とルーフ６とが回動する際の支点となる第２の回動軸支点１７、第１のシャフト１６とケース４とが回動する際の支点となる第３の回動軸支点１８と、歯車軸１３とにより構成されている。
【００２９】
具体的には、第１のシャフト１６の長さは、上段標識部３ａの回動軸支点である歯車軸１３と第１の回動軸支点１５との距離と同じ長さになるように形成されており、この第１のシャフト１６の両端は、第２の回動軸支点１７を介してルーフ６と、第３の回動軸支点１８を介してケース４と、それぞれ回動自在に連結されている。
【００３０】
さらに、第１の回動軸支点１５と第２の回動軸支点１７、第３の回動軸支点１８と歯車軸１３との位置関係がそれぞれ、同じ長さでかつ平行となる様に形成されている。即ち、歯車軸１３を含めたこの４つの回動軸支点が平行四辺形の関係になるようにそれぞれ位置決めされている。
【００３１】
従って、上段標識部３ａの背面方向への回動動作に対し、この４つの回動軸支点が平行四辺形の関係を保持した状態であるので、第１の回転軸支点１５に対する第２の回転軸支点１７の位置関係が変わらない。即ち、この上段標識部３ａの背面方向への回動動作に連動して、ルーフ６が上段標識部３ａの回動方向とは反対方向に連動して回動するように構成されている。
【００３２】
図１、図４に示すように、上段標識部３ａを背面から支持するための第２のシャフト１９が、枠体５とケース４底面に設けられている長溝（図示せず）とに摺動自在に取り付けられている。第２のシャフト１９は、上段標識部３ａが９０°背面方向に横倒した状態の時、さらに背面方向に回動しないように、ストッパーとしての機能を備えている。
【００３３】
なお、この実施例では、第１のシャフト１６及び第２のシャフト１９は、いずれも上段標識部３ａの両側に配置されて、対をなしているが、これはバランス上の問題を解決するためであるから、第１のシャフト１６及び第２のシャフト１９は、それぞれいずれも一箇所であってもよい。
【００３４】
又、回動機構９の歯車列１２は、当初の目的を達成する動作を行えばよく、任意に歯車を組み合わせて構成される。さらに、回動機構９及び連動回動機構１０のいずれも上記実施例に限定されるものではなく、上段標識部３ａの背面方向への回動動作に連動してルーフ６が上段標識部３ａの回動方向とは反対方向に回動するような動作を行う機構はすべて含まれる。
【００３５】
このように構成された電光標識装置１は、車両の屋根に電光標識面２が走行方向に一致するように取り付けられる。さらに、モータ１１に電源コード（図示せず）を配線し、有線回路又は無線回路を介してリモートコントローラ（図示せず）によりモータ１１を電動制御することにより、上段標識部３ａは起立状態及び９０°背面方向に横倒した収納状態となるように制御されている。
【００３６】
次に、作用動作について、図１〜図６に基づいて説明する。
通常、車両の屋根に搭載した状態で、走行している場合には、図６に示すように、上段標識部３ａは、９０°横倒した状態となってケース４内に収納されている。この収納状態では、ルーフ６は、上段標識部３ａの電光標識面３ｃを覆っており、ケース４の上端からは、警告灯７のみが突出した状態となっている。そこで、電源をオンするとともに、リモートコントローラを操作すれば、下段標識部３ｂの電光標識面３ｃには、「注意」、「検問」等の電光文字を表示することが出来る。
【００３７】
従って、現場へと向かう車両の走行時には、後方車両にも情報をもたらすことが出来るとともに、走行時に電光標識板３に加わる風圧も少なく、安全走行が可能である。又、走行時や不使用時には、ルーフ６が上段標識部３ａの電光標識面３ｃを覆っているので、表面を保護することが出来るとともに、電光標識装置全体の形状もコンパクトとなり、収納効率が良い。又、電光標識面がＬＥＤで形成されている場合、その表示面は風雨や鳥、犬、猫等の動物により、容易に汚染、損傷の恐れが大であるが、上段標識部３ａの電光標識面３ｃは完全にルーフ６で覆われているので、走行時のように下段標識部３ｂのみ使用している状態でも、又、装置全体の不使用時でも、このような汚染、損傷が発生することはない。
【００３８】
次いで、事故現場等に到着した場合には、リモートコントローラを操作して、モータ１１を起動すると、モータ軸の回転は、歯車列１２を介して歯車軸１３へ伝達される。歯車軸１３が回転すると、上段標識部３ａは歯車軸１３を含む回動機構９により起立し、ルーフ６は連動回動機構１０により、上段標識部３ａの回動方向とは反対方向に連動して回動し、上段標識部３ａの上端部を覆う位置で停止する。
【００３９】
さらに、リモートコントローラを操作して、上段標識部３ａに新たな電光文字等を表示させたり、あるいは、電光標識板３の電光標識面２全体に大きく文字を表示したりすることも出来、従来のものに比較して、多くの情報を広く表示させることが出来る。
【産業上の利用可能性】
【００４０】
この発明による電光標識装置は、警察車両、緊急車両、道路検査用車両等に搭載して使用出来る。これらの車両に搭載して使用する場合には、上段標識部を収納した状態で高速走行するとともに、下段標識部には情報を表示し、警告灯は点灯状態で走行出来る。又、電光標識装置は、事故現場、検問場所、道路工事現場等に設置して使用しても良く、この場合には、上段標識部を収納した状態で運搬すれば良く、場所を選ばずに幅広く利用することが出来る。
【図面の簡単な説明】
【００４１】
【図１】この発明の実施例を示すもので、電光標識板３の上段標識部３ａの動作状態を示す説明図である。
【図２】この発明の実施例を示すもので、電光標識板３の上段標識部３ａが起立した状態を示す一部切欠正面図である。
【図３】この発明の実施例を示すもので、電光標識板３の上段標識部３ａが起立した状態を示す一部切欠背面図である。
【図４】この発明の実施例を示すもので、電光標識板３の上段標識部３ａがケース４内に収納された状態を示す一部切欠上面図である。
【図５】この発明の実施例を示すもので、電光標識板３の上段標識部３ａが起立した状態を示す斜視図である。
【図６】この発明の実施例を示すもので、電光標識板３の上段標識部３ａがケース４内に収納された状態を示す斜視図である。
【図７】従来例を示す斜視図である。
【図８】従来例を示す斜視図である。
【符号の説明】
【００４２】
１          電光標識装置
２          電光標識面
３          電光標識板
３ａ        上段標識部
３ｂ        下段標識部
３ｃ        電光標識面
３ｄ        境界線
４          ケース
６          ルーフ
７          警告灯
９          回動機構
１０        連動回動機構
１４        連結ボス
【図１】
2006039176.tif 000003
【図２】
2006039176.tif 000004
【図３】
2006039176.tif 000005
【図４】
2006039176.tif 000006
【図５】
2006039176.tif 000007
【図６】
2006039176.tif 000008
【図７】
2006039176.tif 000009
【図８】
2006039176.tif 000010